(57)【要約】【課題】電子機器の表面や当該電子機器の表示画面等に、良好な美観性又は視認性を確保しつつ貼付シートを簡単な操作で貼付することができるスキージの構成部品を提供する。【解決手段】貼付シートの表面に摺接して当該シートを平坦状に押し付けるための摺接部材と、この摺接部材を、使用者が携行可能なカード類の縁部に装着するための装着部材とを備えていることを特徴とする。【選択図】        図１
2009056618.tif 000002
【特許請求の範囲】
【請求項１】
貼付対象物に貼付シートを貼付するのに使用するスキージの構成部品であって、
前記貼付シートの表面に摺接して当該シートを平坦状に押し付けるための摺接部材と、
この摺接部材を、使用者が携行可能なカード類の縁部に装着するための装着部材とを備えていることを特徴とするスキージの構成部品。
【請求項２】
前記摺接部材は、任意の折り目で折り曲げ可能な基材シートよりなり、
前記装着部材は、前記基材シートの裏面側に積層された粘着層と、この粘着層の更に裏面側に積層された剥離シートとからなる請求項１に記載のスキージの構成部品。
【請求項３】
前記剥離シートは、前記基材シートの幅方向中途部に位置しかつ当該シートの長手方向に延びる切り目を有する請求項２に記載のスキージの構成部品。
【請求項４】
前記摺接部材は、前記貼付シートの表面に対する摺接縁を幅方向一方側に有する基材フレームよりなり、
前記装着部材は、前記基材フレームの幅方向他方側に開口することによって形成された、前記カード類の縁部に嵌合可能な装着溝部よりなる請求項１に記載のスキージの構成部品。
【請求項５】
透明又は半透明な袋状の包装材と、
この包装材に封入された貼付シートと、
前記貼付シートと一緒に前記包装材に封入された請求項１〜４いずれか１項に記載のスキージの構成部品とを備えていることを特徴とする貼付シートの包装製品。
【請求項６】
使用者が携行可能なカード類と、
このカード類の縁部に装着された請求項１〜４のいずれか１項に記載のスキージの構成部品とを備えていることを特徴とするスキージ。
【請求項７】
貼付シートを貼付対象物に貼付するのに使用するスキージの作製方法であって、
使用者が携行可能なカード類を用意し、このカード類の縁部に請求項１〜４のいずれかに記載のスキージの構成部材を装着することにより、当該カード類を前記スキージに変化させることを特徴とするスキージの作製方法。
【発明の詳細な説明】
【技術分野】
【０００１】
本発明は、スキージの構成部品に関する。詳しくは、本発明は、スキージの構成部品、貼付シートの包装製品及びスキージの作製方法に関する。
【背景技術】
【０００２】
携帯電話等の電子機器は、当該電子機器の使用時、持ち運び時等において、ほこり、皮脂等の汚れの原因となる物質の付着や、外的衝撃による損傷の発生等により、電子機器の美観性を損なうことがある。また、携帯電話等の電子機器が任意の情報を表示する表示画面を備えている場合、この表示画面は、当該電子機器の使用時、持ち運び時等において、ほこり、皮脂等の汚れの原因となる物質の付着や、外的衝撃による損傷の発生等により、外部からの表示画面の視認性が低下することがある。そこで、前記汚れの原因となる物質の付着、損傷の発生等から、前記電子機器やその表示画面を保護するための貼付シートが提案されている（特許文献１を参照）。
【０００３】
しかしながら、前記貼付シートを電子機器の表面や当該電子機器の表示画面に貼付するに際して、前記貼付シートと電子機器の表面や当該電子機器の表示画面との間への気泡の侵入、貼り損ないによるしわの発生等により、美観性を損なう場合や、外部からの当該貼付シートを介した表示画面の視認性の確保が困難である場合がある。
【特許文献１】特開２００５−３２６６６１号公報
【発明の開示】
【発明が解決しようとする課題】
【０００４】
一方、貼付シートの貼付には、スキージが用いられることがある。しかしながら、前記スキージは、一般使用者にとっては、利便性及び汎用性が低く、利用しにくいのが現状である。また、貼付シートの貼付には、このスキージに代えて、既存の定規、下敷き等が用いられる場合がある。しかしながら、このような既存の定規等は、貼付シートとの間の摩擦力が大きいため、使用しにくく、貼り損ないによるしわの発生等により、美観性を損なう場合がある。
【０００５】
本発明は、このような事情に鑑みてなされたものであり、電子機器の表面や当該電子機器の表示画面等の貼付対象物に、良好な美観性又は視認性を確保しつつ貼付シートを簡単な操作で貼付することができる、スキージの構成部品、このスキージの構成部品を備える貼付シートの包装製品及びこのスキージの作製方法を提供することを目的とする。
【課題を解決するための手段】
【０００６】
本発明のスキージの構成部品は、貼付対象物に貼付シートを貼付するのに使用するスキージの構成部品であって、前記貼付シートの表面に摺接して当該シートを平坦状に押し付けるための摺接部材と、この摺接部材を、使用者が携行可能なカード類の縁部に装着するための装着部材とを備えていることを特徴としている。
【０００７】
本発明のスキージの構成部品は、前記摺接部材と装着部材とを備えているため、使用者は、この摺接部材を、使用者が携行可能なカード類の縁部に簡単に装着させることができ、それにより、使用者が携行可能なカード類を、良好な美観性又は外部からの良好な視認性を確保しつつ簡単な操作で貼付シートを貼付することができるスキージに変化させることができる。
【０００８】
本発明のスキージの構成部品では、前記摺接部材は、任意の折り目で折り曲げ可能な基材シートよりなり、前記装着部材は、前記基材シートの裏面側に積層された粘着層と、この粘着層の更に裏面側に積層された剥離シートとからなることが好ましい。
【０００９】
また、本発明のスキージの構成部品では、前記剥離シートは、前記基材シートの幅方向中途部に位置しかつ当該シートの長手方向に延びる切り目を有することが好ましい。
【００１０】
更に、前記摺接部材は、前記貼付シートの表面に対する摺接縁を幅方向一方側に有する基材フレームよりなり、前記装着部材は、前記基材フレームの幅方向他方側に開口することによって形成された、前記カード類の縁部に嵌合可能な装着溝部よりなることが好ましい。
【００１１】
本発明の包装製品は、透明又は半透明な袋状の包装材と、この包装材に封入された貼付シートと、前記貼付シートと一緒に前記包装材に封入されたスキージの構成部品とを備えていることを特徴としている。
【００１２】
本発明の包装製品は、包装材に封入された前記スキージの構成部品を含んでいるため、使用者は、当該使用者が携行可能なカード類を、良好な美観性又は外部からの良好な視認性を確保しつつ簡単な操作で貼付シートを貼付することができるスキージに変化させることができる。
【００１３】
本発明のスキージは、使用者が携行可能なカード類と、このカード類の縁部に装着されたスキージの構成部品とを備えていることを特徴としている。
【００１４】
本発明のスキージは、カード類の縁部に装着されたスキージの構成部品を備えているため、良好な美観性又は外部からの良好な視認性を確保しつつ簡単な操作で貼付シートを貼付することができる。
【００１５】
本発明のスキージの作製方法は、貼付シートを貼付対象物に貼付するのに使用するスキージの作製方法であって、使用者が携行可能なカード類を用意し、このカード類の縁部に前記スキージの構成部材を装着することにより、当該カード類を前記スキージに変化させることを特徴としている。
【００１６】
本発明のスキージの作製方法では、使用者は、当該使用者が携行可能なカード類を用意し、このカード類の縁部に前記スキージの構成部材を装着することにより、当該カード類を、良好な美観性又は外部からの良好な視認性を確保しつつ簡単な操作で貼付シートを貼付することができるスキージに変化させることができる。
【発明の効果】
【００１７】
本発明によれば、電子機器の表面や当該電子機器の表示画面等の貼付対象物に良好な美観性又は視認性を確保しつつ貼付シートを簡単な操作で貼付することができるという優れた効果が奏される。
【発明を実施するための最良の形態】
【００１８】
以下、添付図面を参照しつつ、本発明のスキージの構成部品、貼付シートの包装製品及びスキージの作製方法それぞれの実施形態を詳細に説明する。
【００１９】
（１）スキージの構成部品
本発明のスキージの構成部品の一実施形態（実施形態１の構成部品）を、図１〜図４に示す。図１は、本発明の実施形態１の構成部品の拡大概略説明図を示す。また、図２〜図４は、本発明の実施形態１の構成部品の概略説明図を示す。
【００２０】
実施形態１の構成部品は、貼付対象物に貼付シートを貼付するのに使用するスキージの構成部品であって、前記貼付シートの表面に摺接して当該シートを平坦状に押し付けるための摺接部材２と、摺接部材２を、使用者が携行可能なカード類６の縁部７に装着するための装着部材３とを備えている。
【００２１】
ここで、貼付シートは、貼付対象物を保護するためのシートであってもよく、貼付対象物を装飾するためのシートであってもよい。前記貼付シートとしては、特に限定されないが、例えば、オレフィン系樹脂等の材料により製造されたシート等が挙げられる。
【００２２】
また、カード類６は、使用者の身の回りにある各種カード等であればよい。本実施形態のスキージの構成部品では、このように、使用者の身の回りにある各種カード等を用いることができるため、使用者の利便性に優れる。カード類６としては、特に限定されないが、例えば、プリペイドカード、商業施設の会員カード、銀行カード、クレジットカード等が挙げられる。
【００２３】
実施形態１の構成部品は、図２に示されるように、長辺Ｌと短辺Ｗとからなる長方形板状のシートである。図２に示される構成部品においては、切り目４の長手方向の長さは、長辺Ｌと同じ長さである。
【００２４】
摺接部材２を構成する材料としては、貼付シートとの間に発生する摩擦力が小さくなるものであればよく、特に限定されないが、例えば、不織布（例えば、ポリカプラミドを主成分とする不織布等）、綿布、麻布等が挙げられる。
【００２５】
実施形態１の構成部品は、摺接部材２は、任意の折り目５で折り曲げ可能な基材シート２ａよりなる。
【００２６】
図３に示される構成部品は、カード類６の長辺側縁部（図中、７ａ）に装着するに好適である。また、図４に示される構成部品は、カード類６の短辺側縁部（図中、７ｂ）に装着するに好適である。
【００２７】
実施形態１の構成部品では、摺接部材２の長手方向長さは、特に限定されないが、カード類６の縁部７を長手方向にわたって全体又は一部を覆うに十分な長さであればよい。また、摺接部材２の短手方向長さは、特に限定されないが、カード類６の縁部７を短手方向にわたって少なくとも一部を覆う長さである。更に、摺接部材２の厚さは、適宜設定することができる。
【００２８】
実施形態１の構成部品において、装着部材３は、基材シート２ａの裏面側に積層された粘着層３ａと、この粘着層３ａの更に裏面側に積層された剥離シート３ｂとからなる。すなわち、実施形態１の構成部品は、図１に示されるように、順に、基材シート２ａと、粘着層３ａと、剥離シート３ｂとが積層された構成を有する。
【００２９】
粘着層３ａは、摺接部材２をカード類６に付着させるに十分な粘着剤から構成される。粘着層３ａは、使用時に、粘着層３ａから剥離シート３ｂを剥離させた後に、摺接部材２をカード類６に付着させ、かつ使用後に、摺接部材２から当該スキージの構成部品を剥離させることができる観点から、好ましくは、再剥離性と再貼着性とを有する弱粘着層であることが望ましい。前記弱粘着層を構成する粘着剤としては、特に限定されないが、例えば、アクリル系粘着剤、酢酸ビニル系粘着剤、ウレタン系粘着剤、シリコーン系粘着剤等が挙げられる。
【００３０】
剥離シート３ｂは、粘着層３ａに剥離可能に貼付されており、構成部品の使用時まで、粘着層３ａを保護する。この剥離シート３ｂは、粘着層３ａの粘着力を維持するとともに、粘着層３ａへのほこり等の付着を防いでいる。剥離シート３ｂとしては、粘着層３ａの粘着力を維持することができ、かつ粘着層３ａへのほこり等の付着を防ぐことができればよく、特に限定されないが、例えば、ポリエチレンテレフタレートシート、ポリプロピレンシート、グラシン紙、ポリエチレンラミネート加工された加工紙（例えば、ポリエチレンラミネート加工したクラフト紙、ポリエチレンラミネート加工した上質紙等）等が挙げられる。
【００３１】
実施形態１の構成部品において、剥離シート３ｂは、基材シート２ａの幅方向中途部に位置しかつ当該基材シート２ａの長手方向に延びる切り目４を有する。例えば、図３に示されるスキージの構成部品では、基材シート２ａの幅方向のほぼ中央部に、カード類６の長辺側縁部７ａと同じ長さを有し、かつ当該基材シート２ａの長手方向に延びる切り目４を有する。また、図４に示されるスキージの構成部品において、基材シート２ａの幅方向のほぼ中央部に、カード類６の短辺側縁部７ｂと同じ長さの長手方向長さを有し、かつ当該基材シート２ａの長手方向に延びる切り目４を有する。このように、実施形態１の構成部品によれば、切り目４が設けられているため、カード類６を基材シート２ａの適切な位置に容易に当接させた後、剥離シート３ｂを剥離させ、折り目５で基材シート２ａを折って、粘着層３ａをカード類６に付着させることにより、スキージを簡単に作製することができる。
【００３２】
図５は、本発明の実施形態２の構成部品の概略説明図を示す。
実施形態２の構成部品において、摺接部材２は、貼付シートの表面に対する摺接縁１０２を幅方向一方側に有する基材フレーム１０１よりなる。
また、実施形態２の構成部品において、装着部材３は、基材フレーム１０１の幅方向他方側に開口することによって形成された、カード類６の縁部７に嵌合可能な装着溝部１０３よりなる。この装着溝部１０３の深さは、カード類６の縁部７を短手方向にわたって少なくとも一部を覆う長さであればよい。
【００３３】
なお、実施形態２の構成部品では、摺接部材２の長手方向長さ及び摺接部材２の厚さは、実施形態２の構成部品と同様である。
【００３４】
実施形態２の構成部品は、基材フレーム１０１の幅方向他方側に開口することによって形成された、カード類６の縁部７に嵌合可能な装着溝部１０３よりなる装着部材３を備えているため、使用者は、装着部材３の装着溝部１０３を、カード類６の縁部７に嵌合させるだけで、簡単にスキージを得ることができる。
【００３５】
（２）包装製品
図６は、本発明の包装製品の一実施形態を示す概略説明図である。本実施形態の包装製品１１は、透明又は半透明な袋状の包装材１３と、この包装材１３に封入された貼付シート１２と、貼付シート１２と一緒に包装材１３に封入されたスキージの構成部品１とを備えていることを特徴としている。
【００３６】
本実施形態の包装製品１１は、包装材１３に封入されたスキージの構成部品１を含んでいるため、良好な美観性又は外部からの良好な視認性を容易に確保しつつ貼付シートを貼付対象物に貼付する一連の操作を簡単に行なうことができる。
【００３７】
また、本実施形態の包装製品１１は、包装材１３に封入された貼付シート１２と、貼付シート１２と一緒に包装材１３に封入されたスキージの構成部品１とを含んでいるため、使用者が、カード類６として、例えば、手持ちのカードを用意するだけで、良好な美観性又は外部からの良好な視認性を容易に確保しつつ簡単に貼付シート１２を貼付対象物に貼付することができる。
【００３８】
本実施形態の包装製品１１では、貼付シート１２及びスキージの構成部品１が透明又は半透明な袋状の包装材１３に封入されている。これにより、包装製品１１の保管時や陳列時に、貼付シート１２及びスキージの構成部品１に、ほこり等が付着することを防ぐことができる。
【００３９】
本実施形態の包装製品１１は、貼付対象物に付着しているほこり、皮脂等の汚れを除去する汚れ除去具を更に含んでいてもよい。前記汚れ除去具としては、例えば、不織布等が挙げられる。
【００４０】
本実施形態の包装製品１１では、包装材１３は、開放端を開閉可能なように接着して、包装材１３に、貼付シート１２と、スキージの構成部品１とを封入してもよく、開放端を開閉できないように接着して、包装材１３に、貼付シート１２と、スキージの構成部品１とを封入してもよい。
【００４１】
本実施形態の包装製品１１は、例えば、販売時に当該包装製品１１の陳列を容易にするべく、つり金具をかけるための孔１４を有していてもよい。
【００４２】
（３）スキージの作製方法
本発明のスキージの構成部品を用いることにより、貼付対象物への貼付シートの貼付に際して良好な貼付対象物の視認性を確保するに適したスキージを得ることができる。本発明のスキージの作製方法は、貼付シートを貼付対象物に貼付するのに使用するスキージの作製方法であって、使用者が携行可能なカード類を用意し、このカード類の縁部に前記スキージの構成部材を装着することにより、当該カード類を前記スキージに変化させることを特徴としている。
【００４３】
本発明のスキージの作製方法では、前記スキージの構成部品が用いられているため、使用者が携行可能なカード類を用意するだけでよく、このカード類の縁部に前記スキージの構成部材を装着することにより、当該カード類を前記スキージに変化させることができる。
【００４４】
前記スキージの構成部品が、図１〜４に示される実施形態１の構成部品である場合、使用者は、カード類の縁部を切り目４に沿わせるように、構成部品をカード類６の縁部７に装着させることにより、簡単にスキージを得ることができる。
具体的には本発明のスキージの作製方法では、図３に示されるスキージの構成部品１を用いる場合、スキージは、スキージの構成部品１の切り目５と、準備したカード類６の長辺側縁部７ａとを当接させ、次に、スキージの構成部品１の装着部材３の剥離シート３ｂを剥離させ、その後、スキージの構成部品１の装着部材３の粘着層３ａがカード類６の長辺側縁部７ａを覆うように折り目５を折って、カード類６に構成部品１を付着させることにより得られる。
また、図４に示されるスキージの構成部品１を用いる場合、スキージは、スキージの構成部品１の切り目４と、準備したカード類６の短辺側縁部７ｂとを当接させ、次に、スキージの構成部品１の装着部材３の剥離シート３ｂを剥離させ、その後、スキージの構成部品１の装着部材３の粘着層３ａをカード類６の短辺側縁部７ｂを覆うように折り目５を折って、カード類６に構成部品１を付着させることにより得られる。
【００４５】
一方、前記スキージの構成部品が、図５に示される実施形態２の構成部品である場合、使用者は、基材フレーム１０１の装着溝部１０３を、カード類６の縁部７に嵌合させて装着させることにより、簡単にスキージを得ることができる。
【００４６】
（４）貼付対象物への貼付シートの貼付方法
【００４７】
図７は、本発明の一実施形態に係る構成部品を用いたスキージによる貼付対象物への貼付シートの貼付方法を概略的に説明する概略説明図を示す。かかる図７では、携帯電話の表示画面を、貼付対象物として例として挙げているが、本発明は、これに限定されるものではない。
【００４８】
まず、携帯電話２０１（貼付対象物）の表示画面２０２（貼付側表面）上に貼付シート１２を配置する。なお、携帯電話２０１の表示画面２０２に、ほこり、皮脂等が付着している場合には、携帯電話２０１の表示画面２０２上に貼付シート１２を配置するに先立ち、表示画面２０２から、ほこり、皮脂等を除去してもよい。
【００４９】
つぎに、スキージ１０１におけるスキージの構成部品１の摺接部材２の貼付部を、貼付シート１２の上から携帯電話２０１の表示画面２０２に押し当てる。このとき、より円滑に貼付シート１２を携帯電話２０１の表示画面２０２に貼付させる観点から、好ましくは、スキージ１０１のスキージの構成部品１を、貼付シート１２の一端の上から携帯電話２０１の表示画面２０２に押し当てることが望ましい。
【００５０】
そして、スキージ１０１を貼付シート１２の一端から他端方向（図７中、矢印方向）に摺接させる。このとき、スキージ１０１は、そのスキージ１０１におけるスキージの構成部品１が、当該スキージ１０１の移動方向に向くように配置され、かつスキージ１０１と携帯電話２０１の表示画面２０２との角度が、９０°未満の角度となるように配置することができる。これにより、より円滑に貼付シート１２を携帯電話２０１の表示画面２０２に貼付させることができる点で有利である。スキージ１０１を摺接させる際の速度は、貼付シート１２と表示画面２０２との間の空気を押し出すことができる速度であればよい。
【００５１】
なお、前記スキージによる貼付対象物への貼付シートの貼付は、前記携帯電話以外に、特に限定されないが、例えば、携帯情報端末、携帯ゲーム機、ノートパソコン、テレビ、モニター、デジタルカメラ等に設けられたディスプレイ等に適用することができる。
【図面の簡単な説明】
【００５２】
【図１】図１は、本発明の一実施形態に係るスキージの構成部品の拡大概略説明図を示す。
【００５３】
【図２】図２は、本発明の一実施形態に係るスキージの構成部品の概略説明図を示す。
【００５４】
【図３】図３は、本発明の一実施形態に係るスキージの構成部品の概略説明図を示す。
【００５５】
【図４】図４は、本発明の一実施形態に係るスキージの構成部品の概略説明図を示す。
【００５６】
【図５】図５は、本発明の一実施形態に係るスキージの構成部品を用いたスキージの分解概略説明図を示す。
【００５７】
【図６】図６は、本発明の一実施形態に係る貼付シートの包装製品の概略説明図を示す。
【００５８】
【図７】図７は、本発明の一実施形態に係る構成部品を用いたスキージによる貼付対象物への貼付シートの貼付方法を概略的に説明する概略説明図を示す。
【符号の説明】
【００５９】
１  スキージの構成部品
２  摺接部材
２ａ  基材シート
３  装着部材
３ａ  粘着層
３ｂ  剥離シート
４  切り目
５  折り目
６  カード類
７  縁部
７ａ  長辺側縁部
７ｂ  短辺側縁部
１１  包装製品
１２  貼付シート
１３  包装材
１４  孔
１０１  基材フレーム
１０２  摺接縁
１０３  装着溝部
２０１  携帯電話
２０２  表示画面
【図１】
2009056618.tif 000003
【図２】
2009056618.tif 000004
【図３】
2009056618.tif 000005
【図４】
2009056618.tif 000006
【図５】
2009056618.tif 000007
【図６】
2009056618.tif 000008
【図７】
2009056618.tif 000009